(57)【要約】【課題】ゴミ収集の使用時には、観音開き式で簡単に組み立てて使用でき、使用後は、簡単に折り畳んで別の場所にスリム格納できる軽量なコンパクト設計の上、製作コストの低減化も図った折り畳み収納自在なゴミ収集箱を提供する。【解決手段】前記左方の側面部３と正面部４及び右方の側面部５と正面部６が、それぞれ観音開き式に外方へ展開されて、左右の正面部４、６の外端４１、６１同士の取付け状態で形成された内部空間Ａにゴミ収集が自在であり、収納時には前記左右の正面部４、６の外端４１、６１同士が離脱され、各々の側面部３、５の内面まで回動され、更に前記左方の側面部３と正面部４及び右方の側面部５と正面部６が背面部１の内面方向まで回動され、上面部２が背面部１の内面方向に回動され、折り畳み収納できる。【選択図】       図１
0003152425.tif 000002
【実用新案登録請求の範囲】
【請求項１】
背面部と上面部、及び略半分割状の左方正面部と当該左方正面部に連結された左方側面部、並びに略半分割状の右方正面部と当該右方正面部に連結された右方側面部とを備えて成るゴミ収集箱であって、
ａ）前記上面部は、立設する背面部の左右に設置された左方基部と右方基部の各上端で回動自在に支持され、上下方向に回動自在であること、
ｂ）前記左方側面部と右方側面部の各内端は、前記左右の基部間に亘って被覆されているカバー部で各々支持され左右の内外方向へ各々回動自在に形成されていると共に、左方側面部の外端は左方正面部の内端と、右方側面部の外端は右方正面部の内端とそれぞれ回動自在に連結され、その左右の正面部の外端同士が着脱自在であること、
ｃ）前記左方の側面部と正面部及び右方の側面部と正面部が、それぞれ観音開き式に外方へ展開されて、左右の正面部の外端同士の取付け状態で形成された内部空間にゴミ収集が自在であり、収納時には前記左右の正面部の外端同士が離脱されて、各々の側面部の内面まで回動され、更に前記左方の側面部と正面部及び右方の側面部と正面部が背面部の内面方向まで回動され、上面部が背面部の内面方向に回動され、折り畳み収納自在に構成されていること、
を特徴とする、折り畳み収納自在なゴミ収集箱。
【請求項２】
背面部と上面部、並びに左方正面部と左方側面部及び右方正面部と右方側面部の全部又は一部に、通気孔が多数形成されていることを特徴とする、請求項１に記載した折り畳み収納自在なゴミ収集箱。
【請求項３】
背面部と上面部、並びに左方正面部と左方側面部及び右方正面部と右方側面部は全て、アルミニウム製で形成されていることを特徴とする、請求項１又は２に記載した折り畳み収納自在なゴミ収集箱。
【請求項４】
左方正面部又は右方正面部のうち一方の外端には、フック状のロック部が設けられ、他方の正面部の外端には、前記フック状のロック部が嵌合自在な管状の被ロック部が設けられていることを特徴とする、請求項１〜３のいずれか１項に記載した折り畳み収納自在なゴミ収集箱。
【請求項５】
カバー部の上面に把手部が設けられていることを特徴とする、請求項１〜３のいずれか１項に記載した折り畳み収納自在なゴミ収集箱。
【考案の詳細な説明】
【技術分野】
【０００１】
本考案は、折り畳み収納自在なゴミ収集箱の技術分野に関する。
【背景技術】
【０００２】
ゴミ収集の際に、カラスやネコ等からゴミを荒らされないようにしてゴミを仮置きするゴミ収集箱は種々開発されている。
【０００３】
例えば実開平６−２７７１０号公開公報には、ゴミを収集する箱体の上部に箱体を閉塞する開閉蓋体を開閉自在に設けたゴミ収集箱装置において、箱体の上部開口部の一側に固定天板体を架設固定し、他側に形成された上部開口部に開閉蓋体を開閉自在に設け、この開閉蓋体の基部を枢着して先端を持ち上げ起伏自在に設けて開閉蓋体を開閉自在に構成し、この開閉蓋体の基部枢着部と共に開閉蓋体を前記固定天板体に重合状態にスライド移動し得るスライドガイド機構を、開閉蓋体が固定天板体と重合する際の開閉蓋体の縁部位置に設けたゴミ収集箱装置が記載されている。
【先行技術文献】
【特許文献】
【０００４】
【特許文献１】実開平６−２７７１０号公開公報
【考案の概要】
【考案が解決しようとする課題】
【０００５】
前記文献１のゴミ収集箱装置は、開閉蓋体が風でガタ付かず、開閉蓋体や箱体が変形しにくい構造であるが、その分頑丈で重量もあり、一度組み立てたら設置固定されるタイプである。したがって、ゴミ収集が済んだ後、公道を広く活用する等のために、そのゴミ収集箱装置を折り畳んで別の場所に格納できるものではない。
【０００６】
したがって、本考案が解決しようとする課題は、ゴミ収集の使用時には、観音開き式で簡単に組み立てて使用でき、使用後は、簡単に折り畳んで別の場所にスリム格納できる軽量なコンパクト設計が図られ、製作コストも低減された折り畳み収納自在なゴミ収集箱を提供することにある。
【課題を解決するための手段】
【０００７】
上記課題を解決するための手段として、請求項１記載の考案の折り畳み収納自在なゴミ収集箱は、背面部１と上面部２、及び略半分割状の左方正面部４と当該左方正面部４に連結された左方側面部３、並びに略半分割状の右方正面部６と当該右方正面部６に連結された右方側面部５とを備えて成るゴミ収集箱であって、
ａ）前記上面部２は、立設する背面部１の左右に設置された左方基部１０と右方基部１１の各上端１０ａ、１１ａで回動自在に支持され、上下方向に回動自在であること、
ｂ）前記左方側面部３と右方側面部５の各内端３０、５０は、前記左右の基部１０、１１間に亘って被覆されるカバー部で各々支持され左右の内外方向へ各々回動自在に形成されていると共に、左方側面部３の外端３１は左方正面部４の内端４０と、右方側面部５の外端５１は右方正面部６の内端６０とそれぞれ回動自在に連結され、その左右の正面部４、６の外端４１、６１同士が着脱自在であること、
ｃ）前記左方の側面部３と正面部４及び右方の側面部５と正面部６が、それぞれ観音開き式に外方へ展開されて、左右の正面部４、６の外端４１、６１同士の取付け状態で形成された内部空間Ａにゴミ収集が自在であり、収納時には前記左右の正面部４、６の外端４１、６１同士が離脱されて、各々の側面部３、５の内面まで回動され、更に前記左方の側面部３と正面部４及び右方の側面部５と正面部６が背面部１の内面方向まで回動され、上面部２が背面部１の内面方向に回動され、折り畳み収納自在に構成されていること、を特徴とする。
【０００８】
請求項２記載の考案の折り畳み収納自在なゴミ収集箱は、前記背面部１と上面部２、並びに左方正面部４と左方側面部３及び右方正面部６と右方側面部５の全部又は一部に、通気孔ｓが多数形成されていることを特徴とする。
【０００９】
請求項３記載の考案の折り畳み収納自在なゴミ収集箱は、それを構成する前記背面部１と上面部２、並びに左方正面部４と左方側面部３及び右方正面部６と右方側面部５は全て、アルミニウム製で形成されていることを特徴とする。
【００１０】
請求項４記載の考案の折り畳み収納自在なゴミ収集箱は、前記左方正面部４又は右方正面部６のうち一方の外端６１（４１）には、フック状のロック部８が設けられ、他方の正面部４（６）の外端４１（６１）には、前記フック状のロック部８が嵌合自在な管状の被ロック部９が設けられていることを特徴とする。
【００１１】
請求項５記載の考案の折り畳み収納自在なゴミ収集箱は、前記背面部１の上面をも覆うカバー部１３の上面に、把手部７が設けられていることを特徴とする。
【考案の効果】
【００１２】
本考案の折り畳み収納自在なゴミ収集箱は、請求項１のとおり、上面部が、立設する背面部の左右に設置された左方基部と右方基部の各上端で回動自在に支持され、上下方向に回動自在で、前記左方側面部と右方側面部の各内端が、前記左右の基部間に亘って被覆されるカバー部で各々支持され左右の内外方向へ各々回動自在に形成されていると共に、左方側面部の外端は左方正面部の内端と、右方側面部の外端は右方正面部の内端とそれぞれ回動自在に連結され、その左右の正面部の外端同士が着脱自在であるので、ゴミ収集の使用時には、前記左方の側面部と正面部及び右方の側面部と正面部が、それぞれ観音開き式に外方へ展開されて簡単に組み立てられ、左右の正面部の外端同士を取付けた状態で遮蔽された内部空間に、ゴミ収集をスムーズに行うことができる。また、本ゴミ収集箱は、底面部が不要なシンプル構造であるため、製作費のコストダウンにも寄与する。
【００１３】
前記左右の正面部の外端同士の取付けは、請求項４のとおり、右方正面部（又は左方正面部）の外端に設けたフック状のロック部が、左方正面部（又は右方正面部）外端の管状の被ロック部に嵌合するだけで、簡単かつ確実に固定され、内外空間が完全に遮断されるから、カラスやネコ等の小動物が内部空間Ａへ侵入してゴミが荒らされる虞れがない。
【００１４】
また、当該背面部と上面部、並びに左方正面部と左方側面部及び右方正面部と右方側面部は、軽量なアルミニウム製により、多数の小さな通気孔が形成されているので（請求項２、請求項３）、当該ゴミ収集箱の設置に際し軽くて楽に移動できて便利な上、ゴミの仮置き時に臭い等をこもらせず近隣の住環境にも配慮されている。さらに、多数の通気孔があるにも拘らずその通気孔は小さいので、カラスや小動物の進入は防止される。
【００１５】
ゴミの収集が終わり、このゴミ収集箱の収納時には、左右の正面部の外端同士を離脱し、各々の側面部の内面まで回動され、更に前記左方の側面部と正面部及び右方の側面部と正面部が背面部の内面方向まで回動されて小さくなり、最後に上面部を背面部の内面方向に回動すれば、薄いスリムな最小サイズまで折り畳んで収納できる。
【００１６】
背面部の上面を覆うカバー部に設けられている把手部（請求項５）を手で持って、このゴミ収集箱を別の場所に楽に移動でき、公道等に常時設置する従来タイプと違って、必要時にのみ使える利便性に優れている。
【図面の簡単な説明】
【００１７】
【図１】Ａ、Ｂ、Ｃは、折り畳み収納自在なゴミ収集箱の収納状態からの展開状態を示した平面図である。
【００１８】
【図２】折り畳み収納自在なゴミ収集箱の最大展開状態を示した平面図である。
【００１９】
【図３】折り畳み収納自在なゴミ収集箱の上面部の回動要領を示した側面図である。
【００２０】
【図４】折り畳み収納自在なゴミ収集箱の組み立て状態を示した平面図である。
【００２１】
【図５】Ａは折り畳み収納自在なゴミ収集箱の組み立て固定状態を示した正面図、Ｂはロック状態を示した部分の拡大正面図、Ｃはロック状態を示した部分の拡大平面図、Ｄは右方前面部と右方側面部の連結要領を示した拡大平面図である。
【００２２】
【図６】右方前面部と右方側面部の連結要領を示した分解図である。
【００２３】
【図７】折り畳み収納自在なゴミ収集箱の格納状態を示した斜視図である。
【００２４】
【図８】ゴミ収集箱の上面部の展開要領を示した正面斜視図である。
【００２５】
【図９】ゴミ収集箱の側面部と正面部の展開要領を示した斜視図である。
【００２６】
【図１０】ゴミ収集箱の組み立て完成状態を示した正面斜視図である。
【００２７】
【図１１】ゴミ収集箱のゴミを収納した使用状態を示した斜視図である。
【００２８】
【図１２】ゴミ収集箱のゴミの最大展開状態を示した正面図である。
【考案を実施するための最良の形態】
【００２９】
請求項１〜５に係る折り畳み収納自在なゴミ収集箱の実施形態を、以下図面にしたがって説明する。
【００３０】
この収納自在なゴミ収集箱は、図７に示したように、使用しない折り畳み収納時のコンパクトなスリムサイズから、ゴミ収集の使用時には、図１０のように展開して大きく組み立てることができ、その逆の展開状態からの折り畳み収納も行えるものである。
【００３１】
当該ゴミ収納箱は、背面部１と上面部２、及び略半分割状の左方正面部４と当該左方正面部４に連結された左方側面部３、並びに略半分割状の右方正面部６と当該右方正面部６に連結された右方側面部５とを基本構成としている。組み立てた状態の全体の大きさは、幅寸が約１０４９ｍｍ、高さが８１０ｍｍ、奥行が６９６ｍｍである。これらはいずれも、外枠（パイプ体）を備えた軽量なアルミニウム製で形成され、且つ全面にわたって多数の通気孔ｓ・・・が形成されている（図示では一部省略）。
【００３２】
前記背面部１は、その左側で立設して支持する左方基部１０（奥行＝１２０ｍｍ）が取り付けられ、同様にその右側で立設して支持する右方基部１１（奥行＝１２０ｍｍ）が取り付けられ支持して立設されている。各基部１０、１１の下端部は、Ｌ字状に折曲されて安定状態を保つ下端１０ｂ、１１ｂにそれぞれ形成されている（図７、図８、図５Ａ）。なお、前記下端１０ｂ、１１ｂに通孔を形成し、その通孔を利用してアンカー固定する実施形態も可能である。本ゴミ収集箱はスリム収納できるので、公共施設の脇などにしっかり固定して常設することも可能である。
【００３３】
前記左右の基部１０、１１の間に、背面部１を含む後部の上面を被覆する大きさの横長のカバー部１３が設けられている（図４、図７）。カバー部１３の上面に把手部７が設けられており、この把手部７を利用して当該ゴミ収集箱を持ち運び移動しやすくなっている（図５Ａ）。
【００３４】
上面部２は、本実施形態では、略半分割状の左方上面部２Ａと右方上面部２Ｂの２枚もので形成されている。但し、上面部２は１枚ものでも好適に実施されるものである（図示は省略）。この左右の上面部２Ａ、２Ｂがカバー部１３の上端手前における左右の基部１０、１１間に亘る丸棒（図示は省略）を介して、その上端が支持され（図３、図７参照）、上下方向に回動自在となっている（図８）。
【００３５】
なお、この上面部２を上方向に展開すると、図３に示したように、前記把手部７に当該上面部２が当接して回動が止まる。逆に上面部２を下方に回動すると、組み立て完了時には水平状態でとどまり（図３、図１１）、収納状態時には垂れ下がるように垂直状態に位置される（図７、図８）。
【００３６】
前記左方側面部３と右方側面部５の各内端３０、５０の上端は、前記左右の基部１０、１１間に亘って被覆される前記カバー部１３の下面で各々支持されている。また、当該各内端３０、５０の下端は、左右の基部１０、１１の各下端に設置されている水平なブラケット１０ｃ、１１ｃにそれぞれ支持され、かくして、左右の基部３、５は、左右の内外方向へ各々回動自在に形成されている。なお、収納時に可及的に小さく収まるように、左方側面部３の内端３０はカバー部１３の中央位置に支持されるのに対し、右方側面部５の内端５０はカバー部１３の外寄り（手前）の端部位置で支持される。そして、これら左右の側面部３、５は、図１Ａに示した状態から図１Ｂに示したように９０°の回動（展開）が可能となっている。
【００３７】
また、前記の左方側面部３の外端３１は左方正面部４の内端４０と、右方側面部５の外端５１は右方正面部６の内端６０と、それぞれ回動自在に連結されている（図２参照）。よって、図１Ｂに示した左右の側面部３、５にぴったりと合わさった状態から、左右の正面部４、６はそれぞれ図１Ｃに示したように９０°の回動が可能で、更に図２に示したように９０°の回動が可能である。さらに最大限には図２の右下に仮想線で示した右方正面部６のように、約３０°の回動が可能となっている。結局、この左方正面部４と右方正面部６は、支持される左方側面部３や右方側面部５に対して、約２１０°の回動ができる構造となっている（図１２参照）。
【００３８】
以下に、前記左方側面部３と左方正面部４、及び右方側面部５と右方正面部６の連結要領を、図６により説明する。なお、同図６では右方側面部５と右方正面部６の連結のみ説明しているが、左方側面部３と左方正面部４も同様であるためその連結要領の説明は省略する。
【００３９】
右方側面部５の外端５１に、上下に隙間ができるように、長さ＝約４８８ｍｍの連結用の中間パイプ５２が設置されている。一方、右方正面部６の内端６０（高さ＝７２２．５ｍｍ）には、前記右方側面部５の中間パイプ５２の上下の隙間に配置できる短い長さ（各長さ＝１００ｍｍ）は、上パイプ６２と下パイプ６３が設置されている。上パイプ６２は右方正面部６の内端６０の上端に設置され、下パイプ６３は右方正面部６の内端６０の下端に設置される。かくして、この下パイプ６３と、前記中間パイプ５２との間に、約２６．５ｍｍの隙間ｋができる。
【００４０】
よって、突き合わされて上下方向の位置を同じくする右方側面部５の中間パイプ５２と右方正面部６の上下のパイプ６２、６３に、φ＝１０ｍｍ、長さ＝７１６．５ｍｍの丸棒１２が挿し込まれ、両者が回動自在に支持される構造となっている（図９）。
【００４１】
そして、前記した上下方向の隙間ｋ（遊び）があるがために、右方正面部６は右方側面部５に対し若干上方に持ち上げることが可能となっており、そのことが右方正面部６と左方正面部４とのロックに際して有効となる。以下、そのロック構造について図５を中心に説明する。
【００４２】
右方正面部６の外端６１の上下に、下向きに折曲したフック状のロック部８が２つ設けられている。他方、左方正面部４の外端４１の上下には、前記２つのロック部８に対応する位置に、ロック部８が嵌合自在な管状の被ロック部９が設けられている。
【００４３】
この管状の被ロック部９の背面（図５では左方）の上部位置には、当接板部９０が設けられている。すなわち、図５Ｂ、Ｃに拡大して示したように、手前方向に垂直に突出したこの当接板部９０が被ロック部９に隣接する形で付設されている。
【００４４】
よって、左右の正面部４、６をロックするには、右方正面部６を手で上方に持ち上げると、前記した隙間ｋがあるために、同右方正面部６はスムーズに上方に隙間ｋだけ少し持ち上がり、前記ロック部８を当接板部９０に当てて下方にずらすだけで、被ロック部９に嵌合し、右方正面部４に対しぴったりと簡単にロックできる。
【００４５】
したがって、このゴミ収集箱を使用する際には、図７のコンパクトな収納状態から、図８のように左右の上面部２Ａ、２Ｂを上方に持ち上げる。次に、図９のように、左方の側面部３と正面部４及び右方の側面部５と正面部６を、それぞれ観音開き式に外方（手前）へ展開し、図１０のように右方正面部６のロック部８を左方正面部４の被ロック部９に嵌合してロックすれば完成する。そして、必要時に左右の上面部２Ａ、２Ｂを開けてその内部に形成された内部空間Ａにゴミを仮置きし、図１１のように上面部２Ａ、２Ｂを閉めれば、カラス等の外敵から内部のゴミを収集されるまで保持することができる。
【００４６】
ゴミ収集時には、左右の上面部２Ａ、２Ｂを開け、また左右の正面部４、６を手前一杯に開いて内部空間Ａにあるゴミを容易に取り出して収集できる。終了したら、前記の展開要領の逆の手順を行えば、簡単に折り畳めて前記図７のようなスリムサイズに格納できるものである。
【符号の説明】
【００４７】
１        背面部
２        上面部
２Ａ      左方上面部
２Ｂ      右方上面部
３        左方側面部
３０      内端
３１      外端
４        左方正面部
４０      内端
４１      外端
５        右方側面部
５０      内端
５１      外端
６        右方正面部
６０      内端
６１      外端
７        把手部
８        ロック部
９        被ロック部
１０      左方基部
１０ａ    上端
１１      右方基部
１１ａ    上端
１３      カバー部
ｓ        通気孔
Ａ        内部空間
【図１】
0003152425.tif 000003
【図２】
0003152425.tif 000004
【図３】
0003152425.tif 000005
【図４】
0003152425.tif 000006
【図５】
0003152425.tif 000007
【図６】
0003152425.tif 000008
【図７】
0003152425.tif 000009
【図８】
0003152425.tif 000010
【図９】
0003152425.tif 000011
【図１０】
0003152425.tif 000012
【図１１】
0003152425.tif 000013
【図１２】
0003152425.tif 000014